(57)【要約】【課題】輝度ムラが十分に抑制され、直下型のバックライトとして好適に用いられる照明装置およびそれを備えた表示装置を提供する。【解決手段】本発明による照明装置は、表示パネル２０の背面側に設けられる表示装置用照明装置であって、互いに略平行に配置された複数の棒状光源１と、複数の棒状光源１のうちの互いに隣接する２つの棒状光源１の間に配置され、光を散乱させる光散乱部材２とを有する。【選択図】図１
2005149984.tif 000002
【特許請求の範囲】
【請求項１】
表示パネルの背面側に設けられる表示装置用照明装置であって、
互いに略平行に配置された複数の棒状光源と、
前記複数の棒状光源のうちの互いに隣接する２つの棒状光源の間に配置され、光を散乱させる光散乱部材と、を有する照明装置。
【請求項２】
前記光散乱部材は前記２つの棒状光源の略中間に位置している請求項１に記載の照明装置。
【請求項３】
前記光散乱部材は棒状である請求項１または２に記載の照明装置。
【請求項４】
前記光散乱部材は前記複数の棒状光源に略平行に配置されている請求項３に記載の照明装置。
【請求項５】
前記光散乱部材の中心軸は、前記複数の棒状光源の中心軸と実質的に同一平面内に位置する請求項３または４に記載の照明装置。
【請求項６】
前記光散乱部材は、前記複数の棒状光源のそれぞれと略同じ外径を有する請求項３から５のいずれかに記載の照明装置。
【請求項７】
前記光散乱部材の長手方向に垂直な断面の形状は、前記複数の棒状光源のそれぞれの長手方向に垂直な断面の形状と略同じである請求項３から６のいずれかに記載の照明装置。
【請求項８】
前記光散乱部材の長手方向に垂直な断面の形状は略円形である請求項３から７のいずれかに記載の照明装置。
【請求項９】
前記複数の棒状光源のそれぞれは蛍光管である請求項１から８のいずれかに記載の照明装置。
【請求項１０】
表示パネルの背面側に設けられる表示装置用照明装置であって、
互いに略平行に配置された複数の棒状部および前記複数の棒状部のうちの互いに隣接する２つの棒状部同士を連接する屈曲部を有する少なくとも１つの光源と、
前記複数の棒状部のうちの互いに隣接する２つの棒状部の間に配置され、光を散乱させる光散乱部材と、を有する照明装置。
【請求項１１】
前記光散乱部材は前記２つの棒状部の略中間に位置している請求項１０に記載の照明装置。
【請求項１２】
前記光散乱部材は棒状である請求項１０または１１に記載の照明装置。
【請求項１３】
前記光散乱部材は前記複数の棒状部に略平行に配置されている請求項１２に記載の照明装置。
【請求項１４】
前記光散乱部材の中心軸は、前記複数の棒状部の中心軸と実質的に同一平面内に位置する請求項１２または１３に記載の照明装置。
【請求項１５】
前記光散乱部材は、前記複数の棒状部のそれぞれと略同じ外径を有する請求項１２から１４のいずれかに記載の照明装置。
【請求項１６】
前記光散乱部材の長手方向に垂直な断面の形状は、前記複数の棒状部のそれぞれの長手方向に垂直な断面の形状と略同じである請求項１２から１５のいずれかに記載の照明装置。
【請求項１７】
前記光散乱部材の長手方向に垂直な断面の形状は略円形である請求項１２から１６のいずれかに記載の照明装置。
【請求項１８】
前記少なくとも１つの光源は少なくとも１つの蛍光管である請求項１０から１７のいずれかに記載の照明装置。
【請求項１９】
前記光散乱部材は、樹脂材料から形成されたマトリクスと、前記マトリクス中に分散された粒子とを有し、前記マトリクスと前記粒子とは屈折率が互いに異なる請求項１から１８のいずれかに記載の照明装置。
【請求項２０】
光を変調することによって表示を行う表示パネルと、前記表示パネルの背面側に設けられた請求項１から１９のいずれかに記載の照明装置とを備える表示装置。
【請求項２１】
前記表示パネルは、一対の基板と、前記一対の基板間に設けられた液晶層とを有する液晶表示パネルである請求項２０に記載の表示装置。
【発明の詳細な説明】
【技術分野】
【０００１】
本発明は、照明装置およびそれを備えた表示装置に関し、特に、表示パネルの背面側に設けられ、表示装置のバックライトとして用いられる照明装置およびそれを備えた表示装置に関する。
【背景技術】
【０００２】
液晶表示装置は、軽量、薄型、低消費電力という特徴を有しているため、ＯＡ用機器、車載用テレビ、ビデオカメラ用モニタ等に広く使用されている。液晶表示装置は、ＣＲＴ、ＰＤＰ（プラズマディスプレイパネル）、あるいはＥＬ（エレクトロルミネッセンス）などの自発光型の表示装置とは異なり、自らは発光しない液晶表示素子を用いている。そのため、透過型の液晶表示装置では、液晶表示素子の背面にバックライトと呼ばれる面状の照明装置が設けられており、このバックライトからの照明光の透過光量を液晶表示素子が画素ごとに制御することによって画像の表示が行なわれる。
【０００３】
バックライトは、液晶表示素子の直下に蛍光管などの棒状光源を複数本配置する「直下型」と、導光板の端部に光源を配置し、光源からの光を導光板によって液晶表示素子に導く「エッジライト型」とに大別される。
【０００４】
直下型バックライトの一般的な構造を図１２に模式的に示す。図１２に示すバックライト４０は、透過型の液晶表示パネル４８の背面側に設けられており、所定の間隔で配置された複数の蛍光管４１と、蛍光管４１を収容するケース４３と、蛍光管４１と液晶表示パネル４８との間に配置された光学シート（例えば拡散シートやプリズムシート）４５とを有している。直下型のバックライト４０は、光源としての蛍光管４１の数を調整することによって輝度を容易に調整することができるので、高輝度を実現しやすく、そのため、大型の液晶表示装置に用いられることが多い。
【０００５】
しかしながら、直下型のバックライト４０では、液晶表示パネル４８の直下に光源（蛍光管）４１が断続的に（離散的に）存在するため、光源４１の直上に対応する領域では輝度が高い一方で光源４１間に対応する領域では輝度が低く、輝度ムラが発生してしまう。
【０００６】
この輝度ムラは、光源４１と液晶表示パネル４８との距離Ａが長くなるほど小さく、また、光源４１間の距離Ｂが短くなるほど小さい。つまり、距離Ｂの距離Ａに対する比Ｒ（＝Ｂ／Ａ）が小さくなるほど輝度ムラが小さく、逆に、比Ｒが大きくなるほど輝度ムラが大きい。そのため、光源４１と液晶表示パネル４８との距離Ａを長くしたり、光源４１の数を増やして光源４１間の距離Ｂを短くしたりすることによって、輝度ムラを小さくできる。
【０００７】
ところが、光源４１と液晶表示パネル４８との距離Ａを長くすることは、バックライト４０の厚さや表示装置の厚さの増加を招き、商品価値を低くしてしまう。また、光源４１の数を増やして光源４１間の距離Ｂを短くすることは、コストの増加を招いてしまい、同じく商品価値を低くしてしまう。
【０００８】
そこで、特許文献１は、図１３に示すように、断面が三角形で光反射性を有する突起部５２が光源５１間に設けられ、それによって輝度ムラが抑制されたバックライト５０を開示している。
【０００９】
また、特許文献２は、図１４に示すように、光源６１に対して液晶表示パネルとは反対側に、一次光源６２と導光板６３とから構成された補助光源６４が設けられ、それによって輝度ムラが抑制されたバックライト６０を開示している。特許文献２には、さらに、一次光源６２から導光板６３内部に入射した光を外部に取り出すために導光板６３の表面に形成される散乱ドットパターンを、光源６１の直下に対応する領域では疎に、光源６１間に対応する領域では密になるように形成することによって、導光板６３から出射する光の輝度を、光源６１の直下に対応する領域では低く、光源６１間に対応する領域では高くすることができ、それによって輝度ムラをさらに抑制できることが記載されている。
【特許文献１】特開２００２−１２２８６３号公報
【特許文献２】特開２０００−３１０７７６号公報
【発明の開示】
【発明が解決しようとする課題】
【００１０】
しかしながら、本願発明者がバックライトの構造と輝度ムラの程度との関係を様々な観点から詳細に検討したところ、上記特許文献１および２に開示されているバックライトにおいては、輝度ムラが十分には抑制されないことがわかった。具体的には、特許文献１および２に開示されているバックライトでは、正面方向（表示装置の表示面法線方向）においては輝度ムラが十分小さくなるものの、斜め方向（表示面法線方向に対して傾斜した方向）においては輝度ムラが十分には小さくならないことがわかった。
【００１１】
本発明は、上記問題に鑑みてなされたものであり、その目的は、輝度ムラが十分に抑制され、直下型のバックライトとして好適に用いられる照明装置およびそれを備えた表示装置を提供することにある。
【課題を解決するための手段】
【００１２】
本発明による照明装置は、表示パネルの背面側に設けられる表示装置用照明装置であって、互いに略平行に配置された複数の棒状光源と、前記複数の棒状光源のうちの互いに隣接する２つの棒状光源の間に配置され、光を散乱させる光散乱部材と、を有し、そのことによって上記目的が達成される。
【００１３】
ある好適な実施形態において、前記光散乱部材は前記２つの棒状光源の略中間に位置している。
【００１４】
ある好適な実施形態において、前記光散乱部材は棒状である。
【００１５】
ある好適な実施形態において、前記光散乱部材は前記複数の棒状光源に略平行に配置されている。
【００１６】
ある好適な実施形態において、前記光散乱部材の中心軸は、前記複数の棒状光源の中心軸と実質的に同一平面内に位置する。
【００１７】
ある好適な実施形態において、前記光散乱部材は、前記複数の棒状光源のそれぞれと略同じ外径を有する。
【００１８】
ある好適な実施形態において、前記光散乱部材の長手方向に垂直な断面の形状は、前記複数の棒状光源のそれぞれの長手方向に垂直な断面の形状と略同じである。
【００１９】
ある好適な実施形態において、前記光散乱部材の長手方向に垂直な断面の形状は略円形である。
【００２０】
ある好適な実施形態において、前記複数の棒状光源のそれぞれは蛍光管である。
【００２１】
本発明による他の照明装置は、表示パネルの背面側に設けられる表示装置用照明装置であって、互いに略平行に配置された複数の棒状部および前記複数の棒状部のうちの互いに隣接する２つの棒状部同士を連接する屈曲部を有する少なくとも１つの光源と、前記複数の棒状部のうちの互いに隣接する２つの棒状部の間に配置され、光を散乱させる光散乱部材と、を有し、そのことによって上記目的が達成される。
【００２２】
ある好適な実施形態において、前記光散乱部材は前記２つの棒状部の略中間に位置している。
【００２３】
ある好適な実施形態において、前記光散乱部材は棒状である。
【００２４】
ある好適な実施形態において、前記光散乱部材は前記複数の棒状部に略平行に配置されている。
【００２５】
ある好適な実施形態において、前記光散乱部材の中心軸は、前記複数の棒状部の中心軸と実質的に同一平面内に位置する。
【００２６】
ある好適な実施形態において、前記光散乱部材は、前記複数の棒状部のそれぞれと略同じ外径を有する。
【００２７】
ある好適な実施形態において、前記光散乱部材の長手方向に垂直な断面の形状は、前記複数の棒状部のそれぞれの長手方向に垂直な断面の形状と略同じである。
【００２８】
ある好適な実施形態において、前記光散乱部材の長手方向に垂直な断面の形状は略円形である。
【００２９】
ある好適な実施形態において、前記少なくとも１つの光源は少なくとも１つの蛍光管である。
【００３０】
ある好適な実施形態において、前記光散乱部材は、樹脂材料から形成されたマトリクスと、前記マトリクス中に分散された粒子とを有し、前記マトリクスと前記粒子とは屈折率が互いに異なる。
【００３１】
本発明による表示装置は、光を変調することによって表示を行う表示パネルと、前記表示パネルの背面側に設けられた上記構成を有する照明装置とを備え、そのことによって上記目的が達成される。
【００３２】
ある好適な実施形態において、前記表示パネルは、一対の基板と、前記一対の基板間に設けられた液晶層とを有する液晶表示パネルである。
【発明の効果】
【００３３】
本発明による照明装置においては、光を散乱させる光散乱部材が、隣接する２つの棒状光源（あるいは棒状部）間に配置されているので、光散乱部材が擬似的な光源として機能する。従って、棒状光源（棒状部）をより短い間隔でより多く配置した場合と同様の光学系を実現することができ、そのため、正面方向だけでなく、斜め方向においても輝度ムラを小さくすることができる。
【００３４】
本発明による照明装置は、液晶表示装置などの表示装置のバックライトとして好適に用いることができ、本発明による照明装置を備えた表示装置は、高品位の表示を行うことができる。
【発明を実施するための最良の形態】
【００３５】
以下、図面を参照しながら本発明の実施形態を説明する。なお、本発明は以下の実施形態に限定されるものではない。
【００３６】
（実施形態１）
図１および図２を参照しながら、本実施形態における照明装置１０を説明する。図１は、照明装置１０を備えた液晶表示装置３０を模式的に示す断面図であり、図２は、照明装置１０を模式的に示す上面図である。
【００３７】
照明装置１０は、図１に示すように、液晶表示パネル２０の背面側（観察者とは反対側）に配置されるいわゆるバックライトである。液晶表示パネル２０は、一対の基板（例えばガラス基板）２１および２２と、これらの間に設けられた液晶層２３とを備え、照明装置１０から出射される光を変調することによって表示を行う。この液晶表示パネル２０は、各画素に透過モードで表示を行う領域を有する。すなわち、液晶表示パネル２０は、透過型または透過反射両用型の液晶表示パネルである。
【００３８】
照明装置１０は、図１および図２に示すように、互いに略平行に配置された複数の棒状光源１を有する。本実施形態における棒状光源１は、冷陰極蛍光管（ＣＣＦＴ）である。
【００３９】
棒状光源１は、図２に示すように、ケース３の内部に設けられた支持具（ホルダ）４によってケース３内に保持されており、棒状光源１と液晶表示パネル２０との間には、図１に示すように光学シート５が配置されている。光学シート５は、例えば拡散シートやプリズムシートである。なお、図１では、光学シート５を１つ示しているが、実際には、拡散シートやプリズムシートなどが適宜組み合わせて用いられる。また、光の利用効率を高くするために、典型的には、ケース３の棒状光源１側の表面に光反射率の高い部材（例えば光反射シート）が設けられているか、あるいは、ケース３自体が光反射率の高い材料から形成されている。
【００４０】
照明装置１０は、さらに、隣接する２つの棒状光源１の間に、光を散乱させる光散乱部材２を有している。本実施形態における光散乱部材２は、棒状であり、隣接する２つの棒状光源１の略中間に、棒状光源１に略平行になるように配置されている。また、光散乱部材２は、棒状光源１と同様に、支持具４によってケース３内に保持されている。
【００４１】
本発明による照明装置１０では、隣接する２つの棒状光源１の間に光散乱部材２が配置されているので、棒状光源１から出射された光の一部がこの光散乱部材２によって散乱され、照明装置１０の、棒状光源１の間に対応した領域から出射する光の強度が強くなる。そのため、輝度ムラを小さくすることができる。ここで、棒状光源１の間に配置された光散乱部材２は、ほぼ全ての方位に光を散乱させるので、単に棒状光源１の間に対応した領域から出射する光の強度を高くするだけでなく、擬似的な光源として機能する。従って、棒状光源１をより短い間隔でより多く配置した場合と同様の光学系を実現することができる。そのため、正面方向（液晶表示装置３０の表示面法線方向）だけでなく、斜め方向（表示面法線方向に対して傾斜した方向）においても輝度ムラを小さくすることができる。
【００４２】
図３〜図６に、従来の直下型バックライトにおいて輝度ムラが発生する様子と、本発明による照明装置１０において輝度ムラが抑制される様子とを示す。
【００４３】
従来の一般的な直下型バックライト４０においては、図３に示すように、正面方向と斜め方向の両方において輝度ムラが大きい。そのため、表示品位が低下してしまう。
【００４４】
これに対して、特許文献１に開示されているバックライト５０では、図４に示すように、光反射性を有する突起部５２が光源５１間に設けられているので、光源５１間に対応した領域から出射する光の強度が強くなり、正面方向においては輝度ムラが小さくなる。しかしながら、断面が三角形で光反射性を有する突起部５２は、全方位に光を散乱させる光散乱部材２とは異なり、擬似光源としては機能しないので、斜め方向における輝度ムラを十分に小さくすることはできない。そのため、表示品位を十分に向上することはできない。
【００４５】
また、特許文献２に開示されているバックライト６０では、図５に示すように、光源６１の下側に補助光源６４が設けられており、さらに、補助光源６４の導光板６３が有する散乱ドットパターンが、光源６１の直下に対応する領域では疎に、光源６１間に対応する領域では密になるように形成されているので、光源６１間から出射する光の強度が強くなり、正面方向においては輝度ムラが小さくなる。しかしながら、光源６１の間ではなく下側に配置され、しかも面状に発光する補助光源６４は、棒状の光源６１に対する擬似的な光源としては機能し得ないので、斜め方向の輝度ムラを十分に小さくすることはできない。そのため、表示品位を十分に向上することはできない。
【００４６】
一方、本発明による照明装置１０では、図６に示すように、隣接する２つの棒状光源１の間に光散乱部材２が配置され、この光散乱部材２が擬似的な光源として機能するので、正面方向だけでなく、斜め方向における輝度ムラも小さくすることができる。そのため、本発明による照明装置１０を備えた表示装置は、高品位の表示を行うことができる。また、光散乱部材２が擬似的な光源として機能することによって、棒状光源１の数を増やすことなく、液晶表示パネル２０と棒状光源１との距離（図１１における距離Ａに相当する）を近くすることができるので、照明装置１０は、薄型化が可能で商品価値が高く、また、コストも安い。
【００４７】
上述したように、本発明による照明装置１０では、光を散乱させる光散乱部材２が、棒状光源１との平面的な配置関係だけでなく、棒状光源１との立体的な配置関係も考慮されて配置されているために、擬似的な光源として機能する。光散乱部材２は、図２に示すように、表示面法線方向からみたときに棒状光源１の「間」に位置しており、さらに、図１に示すように、棒状光源１の長さ方向からみたときにも棒状光源１の「間」に位置している。なお、「棒状光源１の長さ方向からみたときに光散乱部材２が棒状光源１の間に位置している」とは、図７（ａ）〜（ｃ）に示すように、光散乱部材２が、２つの棒状光源１に挟まれた空間内にその少なくとも一部が含まれるように配置されていることを意味する。斜め方向からみたときの輝度ムラをより小さくするためには、図７（ｂ）に示すように、棒状光源１に挟まれた空間内に、光散乱部材２の中心軸（仮想的な軸）ＣＡが含まれることが好ましく、図７（ｃ）に示すように、光散乱部材２の中心軸ＣＡと複数の棒状光源１の中心軸ＣＡとが実質的に同一平面内にある（実質的に同じ高さにある）ことがより好ましい。
【００４８】
また、光散乱部材２が擬似的な光源として好適に機能するためには、光散乱部材２が棒状光源１に近い配光分布特性を有していることが好ましい。棒状光源１に近い配光分布特性を光散乱部材２にもたせるためには、本実施形態のように、光散乱部材２が棒状であることが好ましく、棒状の光散乱部材２が棒状光源１に略平行に配置されていることが好ましい。また、棒状の光散乱部材２が棒状光源１と略同じ外径を有することが好ましい。
【００４９】
本実施形態では、長手方向に垂直な断面の形状が略円形である、円柱状の光散乱部材２を例示したが、光散乱部材２の断面形状はこれに限定されるものではない。光散乱部材２の長手方向に垂直な断面の形状は、図８（ａ）に示すような略円形であってもよいし、図８（ｂ）に示すような略正多角形であってよく、図８（ｃ）に示すような略矩形であってもよい。あるいは、図８（ｄ）に示すような略楕円形であってもよいし、図８（ｅ）に示すような、角部が円弧状の略矩形であってもよい。ただし、棒状光源１に近い配光特性を実現する観点からは、光散乱部材２の長手方向に垂直な断面の形状は、棒状光源１の長手方向に垂直な断面の形状と略同じであることが好ましい。冷陰極蛍光管などの一般的な棒状光源は、略円形の断面形状を有していることが多いので、その点からは光散乱部材２の長手方向に垂直な断面の形状は略円形であることが好ましいといえる。
【００５０】
なお、本実施形態では、隣接する２つの棒状光源１間に光散乱部材２を１つ配置する場合を例示したが、２つの棒状光源１間に光散乱部材２を複数配置してもよい。本実施形態のように、２つの棒状光源１間に光散乱部材２を１つ配置する場合には、光散乱部材２は、２つの棒状光源１の略中間に位置していることが好ましい。光散乱部材２が２つの棒状光源１の略中間に位置していると、輝度ムラを抑制する効果が高い。
【００５１】
光散乱部材２としては、例えば、樹脂材料からなるマトリクスと、マトリクス中に分散され、マトリクスとは屈折率が異なる粒子とを有するものを用いることができる。樹脂材料としては例えばアクリル樹脂を用いることができ、粒子としては例えばシリカビーズを用いることができる。勿論、このような内部散乱型の光散乱部材に代えて、散乱性の表面（例えば微細な凹凸形状を有する表面）を有する光散乱部材を用いてもよいし、内部散乱型の光散乱部材の表面に散乱性を付与してもよい。
【００５２】
光散乱部材２が光を散乱させる度合いは、例えばヘイズ値によって規定される。光散乱部材２の具体的なヘイズ値は、棒状光源１の数や、棒状光源１間の距離、各棒状光源１の輝度などに応じて適宜設定すればよい。
【００５３】
なお、図１および図２には、わかりやすさのために棒状光源１が３つ設けられる場合を例示したが、勿論、棒状光源１の数はこれに限定されるものではない。図９および図１０に示すように、より多数の棒状光源１を設けてもよい。
【００５４】
（実施形態２）
図１１を参照しながら、本実施形態における照明装置１０’を説明する。照明装置１０’も、液晶表示パネルの背面側（観察者とは反対側）に配置されるバックライトである。以下では、実施形態１において説明した照明装置１０と異なる点を中心に説明する。
【００５５】
照明装置１０’は、図１１に示すように、Ｕ字状の光源１’を備えている。光源１’は、互いに略平行に配置された複数の棒状部（棒状発光部）１ａと、隣接する２つの棒状部１ａ同士を連接する屈曲部１ｂとを有する。本実施形態における光源１’は、冷陰極蛍光管である。
【００５６】
照明装置１０’は、さらに、隣接する２つの棒状部１ａの間に、光を散乱させる光散乱部材２を有している。本実施形態における光散乱部材２は、棒状であり、隣接する２つの棒状部１ａの略中間に、棒状部１ａに略平行になるように配置されている。
【００５７】
光源１’および光散乱部材２は、ケース３の内部に設けられた支持具（ホルダ）４によってケース３内に保持されている。また、図示しないが、光源１’や光散乱部材２よりも前面側（観察者側）に必要に応じて光学シートが設けられている。
【００５８】
本実施形態における照明装置１０’においても、隣接する２つの棒状部１ａの間に配置された光散乱部材２が、擬似的な光源として機能するので、光源１’の棒状部１ａをより短い間隔でより多く配置した場合と同様の光学系を実現することができる。そのため、正面方向だけでなく、斜め方向においても輝度ムラを小さくすることができる。
【００５９】
光散乱部材２の好適な形状や配置については、実施形態１における説明とほぼ同様のことが言える。具体的には、斜め方向からみたときの輝度ムラをより小さくするためには、２つの棒状部１ａに挟まれた空間内に、光散乱部材２の中心軸（仮想的な軸）が含まれることが好ましく、光散乱部材２の中心軸と複数の棒状部１ａの中心軸とが実質的に同一平面内にある（実質的に同じ高さにある）ことがより好ましい。
【００６０】
また、光散乱部材２が擬似的な光源として好適に機能するためには、光散乱部材２が棒状部１ａに近い配光分布特性を有していることが好ましい。棒状部１ａに近い配光分布特性を光散乱部材２にもたせるためには、本実施形態のように、光散乱部材２が棒状であることが好ましく、棒状の光散乱部材２が棒状部１ａに略平行に配置されていることが好ましい。また、棒状の光散乱部材２が棒状部１ａと略同じ外径を有することが好ましい。さらに、光散乱部材２の長手方向に垂直な断面の形状は、棒状部１ａの長手方向に垂直な断面の形状と略同じであることが好ましく、また、冷陰極蛍光管などの一般的な光源の棒状部が略円形の断面形状を有していることが多いことから、光散乱部材２の断面形状は略円形であることが好ましい。
【００６１】
また、本実施形態のように、２つの棒状部１ａ間に光散乱部材２を１つ配置する場合には、光散乱部材２は、２つの棒状部１ａの略中間に位置していることが好ましい。
【００６２】
なお、本実施形態では、２つの棒状部１ａと１つの屈曲部１ｂとを有するＵ字状の光源１’を例示したが、Ｕ字状の光源１’に代えて、さらに多くの棒状部と屈曲部を有する光源を用いてもよく、例えば、４つの棒状部と３つの屈曲部とを有するＷ字状の光源を用いてもよい。複数の棒状部と２つの棒状部を連接する屈曲部とを有する光源を用いると、棒状光源を用いる場合に比べて、光源の数を少なくすることができ、コストの低減を図ることができる。
【産業上の利用可能性】
【００６３】
本発明によると、輝度ムラが十分に抑制され、直下型のバックライトとして好適に用いられる照明装置およびそれを備えた表示装置が提供される。
【図面の簡単な説明】
【００６４】
【図１】本発明による照明装置１０を備えた液晶表示装置３０を模式的に示す断面図である。
【図２】本発明による照明装置１０を模式的に示す上面図である。
【図３】従来の直下型のバックライトにおいて輝度ムラが発生する様子を模式的に示す図である。
【図４】従来の直下型のバックライトにおいて輝度ムラが発生する様子を模式的に示す図である。
【図５】従来の直下型のバックライトにおいて輝度ムラが発生する様子を模式的に示す図である。
【図６】本発明による照明装置１０において輝度ムラが抑制される様子を模式的に示す図である。
【図７】（ａ）、（ｂ）および（ｃ）は、本発明による照明装置１０に用いられる光散乱部材の配置態様を示す図である。
【図８】（ａ）〜（ｅ）は、本発明による照明装置１０に用いられる光散乱部材の長手方向に垂直な断面の形状の例を示す図である。
【図９】本発明による照明装置１０を備えた液晶表示装置３０を模式的に示す断面図である。
【図１０】本発明による照明装置１０を模式的に示す上面図である。
【図１１】本発明による他の照明装置１０’を模式的に示す上面図である。
【図１２】従来の一般的な直下型のバックライトを模式的に示す断面図である。
【図１３】従来の直下型のバックライトを模式的に示す断面図である。
【図１４】従来の直下型のバックライトを模式的に示す断面図である。
【符号の説明】
【００６５】
１    棒状光源
１’    光源
１ａ    棒状部
１ｂ    屈曲部
２    光散乱部材
３    ケース
４    支持具（ホルダ）
５    光学シート
１０、１０’    照明装置（バックライト）
２０    液晶表示パネル
２１、２２    基板
２３    液晶層
３０    液晶表示装置
【図１】
2005149984.tif 000003
【図２】
2005149984.tif 000004
【図３】
2005149984.tif 000005
【図４】
2005149984.tif 000006
【図５】
2005149984.tif 000007
【図６】
2005149984.tif 000008
【図７】
2005149984.tif 000009
【図８】
2005149984.tif 000010
【図９】
2005149984.tif 000011
【図１０】
2005149984.tif 000012
【図１１】
2005149984.tif 000013
【図１２】
2005149984.tif 000014
【図１３】
2005149984.tif 000015
【図１４】
2005149984.tif 000016